(57)【特許請求の範囲】
【請求項１】
放射線撮影装置を収納する収納装置であって、
底面と、前記底面と隣接する第１壁面と、前記底面と隣接しており前記第１壁面と対向する位置に設けられた第２壁面とを有する収納部を備え、
前記放射線撮影装置が収納された場合における水平方向の長さをＷ、前記第１壁面の水平方向の長さをＬ１、前記第２壁面の水平方向の長さをＬ２、前記第１壁面を有する第１の壁面部の厚さをＤ１、前記第２壁面を有する第２の壁面部の厚さをＤ２とすると、
Ｄ２／（Ｌ１−Ｌ２）＜（Ｄ１＋Ｄ２）／（Ｗ−Ｌ２）、Ｗ＞Ｌ１＞Ｌ２、Ｄ１＜Ｄ２
の関係を有することを特徴とする収納装置。
【請求項２】
前記収納部は、前記底面、前記第１壁面及び前記第２壁面と隣接する第３壁面をさらに備え、
前記第３壁面は、前記放射線撮影装置が前記収納部に収納された際に前記放射線撮影装置に給電する給電部を備えることを特徴とする請求項１に記載の収納装置。
【請求項３】
前記給電部は、給電コネクタであり、前記放射線撮影装置と接続された状態で給電することを特徴とする請求項２に記載の収納装置。
【請求項４】
前記放射線撮影装置の充電状態を表示する表示部をさらに備えることを特徴とする請求項１乃至３の何れか１項に記載の収納装置。
【請求項５】
前記第１壁面及び前記第２壁面の垂直方向の長さは、前記放射線撮影装置が収納された場合における前記放射線撮影装置の垂直方向の長さの半分の長さよりも短く構成されていることを特徴とする請求項１乃至４の何れか１項に記載の収納装置。
【請求項６】
前記収納部は、第１の筺体部と、前記第１壁面を有する第１の壁面部及び前記第２壁面を有する第２の壁面部のいずれにも着脱可能な第２の筺体部とを備え、
前記第１の筺体部に対する前記第２の筺体部の着脱に応じて、前記第１壁面の水平方向の長さと、前記第２壁面の水平方向の長さとを変更可能であることを特徴とする請求項１乃至５の何れか１項に記載の収納装置。
【発明の詳細な説明】
【技術分野】
【０００１】
本発明は、放射線撮影装置の収納装置に関するものである。
【背景技術】
【０００２】
現在、可搬型のデジタル放射線撮影装置（電子カセッテ）が製品化されている。これらの多くは、ＪＩＳ Ｚ ４９０５（ＩＳＯ４０９０）において規定された規格サイズのフィルムカセッテの外形に合せて設計されている。また、近年では無線による外部装置とのデータ授受や二次電池を内蔵したワイヤレス電子カセッテも開発されている。また、これらのワイヤレス電子カセッテ専用の収容装置も開発されている。
【０００３】
特許文献１では、多様なサイズの電子カセッテに対応可能なカセッテ収容装置が提案されている。また、特許文献１の収容装置では、谷型に凹んだ挿入溝の上面から電子カセッテが挿抜される構成が提案されている。
【先行技術文献】
【特許文献】
【０００４】
【特許文献１】特開２００９−２３７２９３号公報
【発明の概要】
【発明が解決しようとする課題】
【０００５】
しかしながら、特許文献１に記載のカセッテ収容装置は、複数台の放射線撮影装置を収納可能であるが、放射線撮影装置を１台しか所有しないユーザにとっては無駄な設置スペースが取られてしまう。また、電子カセッテの挿抜時におけるユーザの操作性については十分な検討がなされていない。従って、設置スペースを有効活用しつつ、放射線撮影装置の挿抜操作を良好にすることは難しいという課題がある。
【０００６】
本発明は、上記の課題に鑑みてなされたものであり、設置スペースを有効に活用しつつ、放射線撮影装置の挿抜操作が良好な収納装置を提供することを目的とする。
【課題を解決するための手段】
【０００７】
上記の目的を達成するために、本発明の一態様による収納装置は以下の構成を備える。即ち、
放射線撮影装置を収納する収納装置であって、
底面と、前記底面と隣接する第１壁面と、前記底面と隣接しており前記第１壁面と対向する位置に設けられた第２壁面とを有する収納部を備え、
前記放射線撮影装置が収納された場合における水平方向の長さをＷ、前記第１壁面の水平方向の長さをＬ１、前記第２壁面の水平方向の長さをＬ２、前記第１壁面を有する第１の壁面部の厚さをＤ１、前記第２壁面を有する第２の壁面部の厚さをＤ２とすると、
Ｄ２／（Ｌ１−Ｌ２）＜（Ｄ１＋Ｄ２）／（Ｗ−Ｌ２）、Ｗ＞Ｌ１＞Ｌ２、Ｄ１＜Ｄ２
の関係を有することを特徴とする。
【発明の効果】
【０００８】
本発明によれば、設置スペースを有効に活用しつつ、放射線撮影装置の挿抜操作が良好な収納装置を提供することができる。
【図面の簡単な説明】
【０００９】
【図１】第１実施形態に係る放射線撮影装置（電子カセッテ）の平面断面図。
【図２】第１実施形態に係る収納装置（クレードル）の斜視図。
【図３】第１実施形態に係る収納装置（クレードル）の平面図。
【図４】第１実施形態に係る収納装置（クレードル）の側面図。
【図５】第２実施形態に係る収納装置（クレードル）の平面図。
【図６】第３実施形態に係る収納装置（クレードル）の斜視図。
【発明を実施するための形態】
【００１０】
以下、添付の図面を参照しながら本発明の実施形態を説明する。なお、以下の実施形態において示す構成は一例に過ぎず、本発明は図示された構成に限定されるものではない。
【００１１】
（第１実施形態）
図１は、本実施形態における放射線撮影装置（電子カセッテ）を放射線入射面と対向する面から図示した平面断面図である。図２は、本実施形態における充電用のクレードル（収納装置）を示す斜視図である。図３は、本実施形態における電子カセッテを充電用のクレードルに収納した構成を上から見た平面図である。図４は、本実施形態における電子カセッテを充電用のクレードルに収納した構成を横から見た平面図である。
【００１２】
電子カセッテ１は、ＪＩＳ Ｚ ４９０５で規格化されたカセッテと同等の外形サイズを有する。放射線入射面側が放射線透過率の高い材料からなる筺体１３内には、放射線入射面側から順に放射線検出パネル１４、保持基台２１が配置されている。
【００１３】
放射線検出パネル１４は、絶縁性基板（例えば、ガラス基板）上に、放射線量を電荷量に変換するための変換素子と、当該電荷量に基づく電気信号を転送するためのスイッチ素子とを有する画素デバイスが、２次元状に複数配列された撮影パネルである。放射線検出パネル１４には、放射線量を電荷量へ変換する構成として不図示のシンチレータが設けられている。放射線検出パネル１４は、フレキシブル回路基板１９を介して、放射線検出パネル１４の画素デバイスからの電気信号を読み出すための読み出し回路１５と接続されている。また、フレキシブル回路基板２０を介して、スイッチ素子を導通するための電圧を有する駆動信号をスイッチ素子に供給するための駆動回路１６と接続されている。
【００１４】
保持基台２１の放射線入射面側である第１の面または当該第１の面とは反対側の第２の面には、例えば、Ｐｂ、Ｂａ、Ｔａ、Ｍｏ、Ｗ、のいずれかの重金属を含む材料や、ステンレス鋼などといった、放射線を遮蔽する材料を有する不図示の放射線遮蔽部材を介して放射線検出パネル１４が保持されている。また、保持基台２１の第１の面とは反対側の第２の面には、読み出し回路１５、駆動回路１６、電気信号制御や直流電圧変換などを制御する各種制御回路１７，１８、駆動用の電力供給をするための二次電池１１や、外部装置に画像信号を無線送信する無線送信部および無線受信部として機能する無線モジュール部２３などが配置されている。また、筺体１３の放射線入射面以外の面（例えば、側面）には外部装置からの電源供給やデータ通信を行うための外部接続端子部１２やアンテナ部２４、電源ＯＮ／ＯＦＦのスイッチやステータス表示部を実装したユーザＩＦ部２２などが配置されている。
【００１５】
図２に示すように、クレードル２は電子カセッテ１を収納する収納装置であり、底面部Ｂと、底面部Ｂと隣接する第１壁面Ａと、底面部Ｂと隣接しており第１壁面Ａと対向する位置に設けられた第２壁面Ｂとを有する収納部を備えている。また、収納部は、底面部Ｂ、第１壁面Ａ及び第２壁面Ｃと隣接する第３壁面Ｄをさらに有してもよい。
【００１６】
電子カセッテ１を、図２に示すクレードル２のスロット部（収納部）へ収納することでクレードル２に設けられた給電コネクタ３１と電子カセッテ１の外部接続端子部１２とが接続し、電子カセッテ１の二次電池１１を充電することが可能な構成となっている。この場合、給電コネクタ３１は、電子カセッテ１を充電するために給電を行う給電部として機能する。また、クレードル２にはＬＥＤ表示部３０が設けられており、二次電池１１の充電状態を表示することが可能である。ＬＥＤ表示部３０の配置位置は図２の例に限定されるものではなく、クレードル２の任意の位置に設けることができる。また、クレードル２は、電子カセッテ１が非接触での給電が可能な構成である場合には、これに対応した給電部を有する。この場合、クレードル２は、給電機能を有する給電部として、給電コネクタ３１に代えて給電コイルや給電アンテナを構成することができる。
【００１７】
また、図３に示すように、クレードル２の電子カセッテ１を保持する壁の長さＬ１（第１壁面Ａの水平方向の長さ）、Ｌ２（第２壁面Ｃの水平方向の長さ）は、底面部Ｂの長さＬ３よりも短く構成されている。長さＬ１と長さＬ２とが異なり、ユーザが挿抜方向に鉛直な位置から操作する場合、引き抜くときに片手で操作しＬ２まで引き抜き、底面部Ｂを支えとして電子カセッテ１を角度θの方向に、向きを変えて両手で保持することができるため、引き抜きから保持までの動作をスムースに行うことが可能となる。挿入の際も底面部Ｂと壁Ｌ１につきあてることで壁Ｌ１とＬ２の間に挿入する操作が容易となる。また、第２壁面Ｃにおける、電子カセッテ１が挿抜される側の辺の端部は、傾斜部Ｅを有している。傾斜部Ｅを有することで、第２壁面Ｃと接触させた状態で、電子カセッテ１を角度θの方向に向きを変える動作をよりスムースにすることができる。
【００１８】
図４を用いて。クレードル２の壁の長さと、電子カセッテ１の長さＷの関係について説明する。図４に示すように、クレードル２の壁の長さＬ１と電子カセッテ１の長さＷとがＷ＞Ｌ１の関係を満足するように、及び／又は、クレードル２の壁の高さＨと電子カセッテ１の中心線Ｘｃまでの高さＨｙとがＨｙ＞Ｈの関係を満足するように構成されている。すなわち、第１壁面Ａ及び第２壁面Ｂの垂直方向の長さＨは、電子カセッテ１が収納された場合における垂直方向の長さの半分の長さＨｙよりも短く構成されており、及び／又は、第２壁面Ｃの水平方向の長さＬ２は、電子カセッテ１が収納された場合における水平方向の長さの半分の長さＨｘよりも短く構成されている。これらの少なくともいずれか一方の関係が成り立っていればよい。
【００１９】
電子カセッテ１が収納された場合の安定性を考慮し、短い方の壁の長さＬ２は、少なくとも電子カセッテ１の半分の長さＨｘ以上の長さが望ましい（Ｌ２＞Ｈｘ）。これにより、ユーザが電子カセッテ１の辺の中心部の付近を保持して操作しても、挿抜時にユーザの手とクレードル２とが接触することを防止でき、操作性を向上させることができる。また、電子カセッテ１を収納するクレードル２を複数台隣接して設置しても、角度θの範囲であれば電子カセッテ１が移動可能であるため操作性への影響は小さくなる。従って、設置スペースを有効活用することができる。
【００２０】
以上説明したように、第１実施形態の構成によれば、複数の放射線撮影装置（電子カセッテ）が存在する場合でも設置スペースを有効に活用でき、放射線撮影装置の挿抜操作が良好な収納装置（クレードル）を提供することができる。
【００２１】
（第２実施形態）
第１実施形態では、電子カセッテを保持する２つの壁の長さを異ならせることによって、操作性を向上させた充電用のクレードルについて説明した。第２実施形態では、複数台のクレードルを隣接設置させた場合における電子カセッテの挿抜操作性についいて図５を参照してより具体的に説明する。
【００２２】
図５は、本実施形態における電子カセッテ１を充電用のクレードル２に収納し、２台を隣接設置させた構成を上から観察した際の平面図である。
【００２３】
電子カセッテ１を保持するクレードル２のＬ１の長さの壁の幅（厚さ）をＤ１、Ｌ２の長さの壁の幅（厚さ）をＤ２とする。すなわち、第１壁面Ａを有する第１の壁面部の厚さがＤ１、第２壁面Ｃを有する第２の壁面部の厚さがＤ２である。また、電子カセッテ１の挿抜時の角度をθ１とする。
【００２４】
Ｌ１＞Ｌ２の場合には、Ｄ１＜Ｄ２となるように構成されている。一方、Ｌ１＜Ｌ２の場合には、Ｄ１＞Ｄ２となるように構成される。Ｌ１＞Ｌ２の場合、tanθ１＝Ｄ２／（Ｌ１−Ｌ２）であり、tanθ２＝（Ｄ１＋Ｄ２）／（Ｗ−Ｌ２）である。tanθ１＝Ｄ２／（Ｌ１−Ｌ２）＜tanθ２＝（Ｄ１＋Ｄ２）／（Ｗ−Ｌ２）の関係、すなわち、θ１＜θ２の関係となるような寸法形状となっている。
【００２５】
また、θ１＞２５度の関係となるような寸法が望ましく、電子カセッテ１を着脱する際に、角度θ１傾けた状態でも隣接設置されたクレードルに収納されている電子カセッテ１０１に接触することなく挿抜可能となる。
【００２６】
以上説明したように、第２実施形態の構成によれば、複数の放射線撮影装置（電子カセッテ）が存在する場合でも設置スペースを有効に活用でき、放射線撮影装置の挿抜操作が良好な収納装置（クレードル）を提供することができる。
【００２７】
（第３実施形態）
第１、第２実施形態では、電子カセッテを保持する２つの壁の長さを異ならせることによって、操作性を向上させた充電用のクレードルについて説明した。しかしながら、設置環境やユーザの利き腕により、クレードルの収納方向に対してユーザの操作位置が意図する位置関係とならなかった場合の操作性を考慮した構成とはなっていない。第３実施形態では、電子カセッテを保持する部分の左右の長さ関係が変更可能なクレードルについて説明する。
【００２８】
図６（ａ）及び図６（ｂ）は、本実施形態における電子カセッテ１を収納した状態の充電用のクレードル３００を示す斜視図である。クレードル３００は、電子カセッテを保持する部分の壁が同じ長さである第１の筺体部３０１と、ＬＥＤ表示部３０３を備えており第１の筺体部３０１と着脱可能に構成された第２の筐体部３０２とを備えている。第１の筺体部３０１には、第２の筐体部３０２と電気的に接続可能なコネクタ部３０４が左右の壁面の２か所に配置されており、第２の筐体部３０２の接続位置をユーザの使い勝手に合わせ任意に選択可能となっている。
【００２９】
以上説明したように、第３実施形態の構成によれば、ユーザの使い勝手に合わせて電子カセッテを保持する部分の壁の長さが左右で変更可能な収納装置（クレードル）を提供することができる。これにより、設置環境やユーザの利き腕に影響されることなく、複数の放射線撮影装置（電子カセッテ）が存在する場合でも設置スペースを有効に活用でき、放射線撮影装置の挿抜操作が良好な収納装置（クレードル）を提供することができる。
【００３０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００３１】
１：電子カセッテ１、２：クレードル、３０：ＬＥＤ表示部、３１：給電コネクタ、３０１：第１の筐体部、３０２：第２の筐体部、Ａ：第１壁面、Ｂ：底面部、Ｃ：第２壁面、Ｄ：第３壁面
【図１】
0006711587.tif 000002
【図２】
0006711587.tif 000003
【図３】
0006711587.tif 000004
【図４】
0006711587.tif 000005
【図５】
0006711587.tif 000006
【図６】
0006711587.tif 000007